(57)【要約】【課題】画面が小さく、通信速度が遅く、入力手段が限られた機器端末において、最少のキー操作で所望のカメラ制御を確実に行うことができるカメラ制御装置を提供する。【解決手段】各キーの操作により入力が可能なカメラ制御装置であって、カメラ制御決定キー２０１の操作時に、現在のカメラの撮影画角を示す第１のインジケータと変更される撮影画角を示す第２のインジケータとの表示を行い、前記キーの操作解除に応じてカメラパラメータを設定すると共に、前記第１、第２のインジケータを非表示にする。【選択図】      図１
2004248230.tif 000002
【特許請求の範囲】
【請求項１】
各キーの操作により入力が可能なカメラ制御装置であって、カメラのパラメータ設定用キーによる入力操作に応じて、現在のカメラの撮影画角を示す第１のインジケータと変更される撮影画角を示す第２のインジケータとの表示を行い、前記キーの操作解除に応じてカメラパラメータを設定すると共に、前記第１、第２のインジケータを非表示にする制御手段を有することを特徴とするカメラ制御装置。
【発明の詳細な説明】
【０００１】
【発明の属する技術分野】
本発明は、携帯電話端末等の通信速度が遅く、画面が小さく、入力手段が限られた端末で遠隔地に設置されたカメラを制御する際に用いるカメラ制御装置に関する。
【０００２】
【従来の技術】
従来、ＰＣ（パーソナルコンピュータ）やＰＤＡ（携帯型情報機器）での遠隔カメラ制御では、カメラの制御や画像の閲覧を行うためのビューワアプリケーションは、一つの画面に画像表示領域とスクロールバー等のＵＩ（ユーザインタフェース）コンポーネントから成るカメラ制御用ＵＩを含み、画像を閲覧しながら、同時にマウスや画面タップでＵＩコンポーネントを操作して、カメラ制御を行うことが可能であった。
【０００３】
しかし、携帯電話端末のようにキーのプッシュ（操作）・リリース（操作解除）でしか入力を行えない携帯機器端末では、前記のようなカメラ制御用ＵＩの場合、ＵＩコンポーネントの選択と操作を、それぞれ別のキーで行う必要があり、キーの操作回数が増えるため、その操作が複雑になると共に、所望のカメラパラメータに設定するのに長い時間がかかってしまう。また、画面が小さい携帯機器端末では、画像表示とカメラパラメータの設定値を確認するためのカメラ制御用ＵＩを一つの画面に収めると、表示が小さくなってカメラパラメータの設定値を確認することが困難になるので、カメラ制御用ＵＩを省略するか、画像表示とカメラ制御用ＵＩとを別画面に分ける必要があった。
【０００４】
画像表示とカメラ制御用ＵＩとを別画面に分けた場合、カメラを制御する度にカメラ制御用ＵＩ画面に切り替えて制御を行い、画像表示画面に戻って画像を閲覧するといった煩雑な操作が必要になる上、カメラパラメータ設定画面に切り替えている間は画像が閲覧できなくなってしまう。
【０００５】
また、カメラ制御用ＵＩを省略し、受信画像の変化のみでカメラパラメータの設定を確認する場合、画像を受信する迄はカメラパラメータの変化を把握することができないため、ユーザが適当な操作を行ったつもりでも、実際には所望の制御量より大きくなったり小さくなったりすることが多くなる。前記のカメラ制御用ＵＩは、高速回線に接続されたＰＣ等では画像の更新頻度が高いため、それほど問題にはならないが、特に、通信速度が遅い携帯機器端末の場合には、画像の更新頻度が遅くなると所望のカメラ操作を行うことは殆ど不可能になる。
【０００６】
【発明が解決しようとする課題】
上記のような携帯機器端末による遠隔カメラ制御装置のグラフィカルユーザインタフェース（ＧＵＩ）に関する問題を解決する方法として、従来、ユーザのキー操作によって設定されたカメラパラメータの設定値を表すインジケータを画像上に重畳して表示するＧＵＩがあるが、インジケータが常に画像上に表示されると画像が見難くなってしまう。また、インジケータの表示／非表示を切り替えるためのインジケータ表示切替キーを割り当てれば、インジケータを必要なときだけ表示するようにユーザが切り替えることができるようになる。
【０００７】
しかし、その場合でも、カメラ制御要求時に送信するカメラパラメータの設定中やカメラ制御要求送信中等、インジケータ表示が必要な場合以外にインジケータを非表示にするには、ユーザがその都度インジケータ表示切替キーを操作する必要があり、その操作が煩雑になる。
【０００８】
本発明は、上述したような従来技術の有する問題点を解消するためになされたもので、その目的は、携帯電話端末等の携帯機器端末のように、画面が小さく、通信速度が遅く、入力手段が限られた機器端末において、最少のキー操作で所望のカメラ制御を確実に行うことができるカメラ制御装置を提供することである。
【０００９】
【課題を解決するための手段】
上記目的を達成するために、本発明のカメラ制御装置は、各キーの操作により入力が可能なカメラ制御装置であって、カメラのパラメータ設定用キーによる入力操作に応じて、現在のカメラの撮影画角を示す第１のインジケータと変更される撮影画角を示す第２のインジケータとの表示を行い、前記キーの操作解除に応じてカメラパラメータを設定すると共に、前記第１、第２のインジケータを非表示にする制御手段を有することを特徴とする。
【００１０】
【発明の実施の形態】
以下、本発明の各実施の形態を図面に基づき説明する。
【００１１】
まず、各実施の形態の説明において用いる語句の定義について説明する。
「プッシュ」：キーを押し込む動作、キーを操作すること。
「リリース」：押し込んだキーを離す動作、キーを操作解除すること。
「ホールド」：押し込んだキーを押し込んだまま維持する動作、キーを操作した状態を維持すること。
「パラメータ設定キー」：次回のカメラ制御要求時に送信するカメラパラメータの設定値を変更するキー。基本的に設定するカメラパラメータの種類毎に別のキーが割り当てられる。１回のプッシュ、またはリリースで一定量を増減させる場合と、プッシュからリリース迄の時間に応じた可変量を増減させる場合がある。
「パラメータインジケータ」：現在設定されているカメラパラメータを画面上で表すための表示。実施の形態中で参照している図のように、パン・チルト・ズームを枠の位置と大きさで表すインジケータの他、各カメラパラメータの値を棒の長さで表すインジケータ、針や点の位置で表すインジケータ、色でカメラパラメータの状態を表すインジケータ等がある。
【００１２】
（第１の実施の形態）
まず、本発明の第１の実施の形態を、図１乃至図３に基づき説明する。
【００１３】
図１は、本発明のカメラ制御装置が適用されるシステムの基本構成を示すである。
【００１４】
図１において、１０１は携帯電話等の携帯機器端末、１０２はインターネット等のネットワーク、１０３はカメラ（ネットワークカメラ）である。携帯機器端末１０１は、ネットワーク１０２に接続する手段を備え、ビューワアプリケーション１０４を実行することができる。ビューワアプリケーション１０４は、ネットワーク１０２に接続されたカメラ１０３にリクエスト信号１０５を送信し、それに対して画像データ等のリプライ信号１０６を受信する機能を持つ。カメラ１０３は、ビューワアプリケーション１０４からのリクエストに応じて映像の発信やカメラの制御を実行する。
【００１５】
図２は、本発明のカメラ制御装置を携帯機器端末１０１に適用した場合のキー割り当ての一例を示す図である。
【００１６】
図２において、１０１は携帯機器端末、２０１はカメラ制御決定キー、２０２はキャンセルキー、２０３はカメラ・プリセット選択キー、２０４はチルト制御キー、２０５はズーム制御キー、２０６はパン制御キー、２０７はビューワ画面、２０８はパラメータインジケータ（設定されたカメラパラメータ）、２０９はパラメータインジケータ（現在のカメラパラメータ）、２１０はパラメータインジケータ（パン・チルト・ズームの限界）である。
【００１７】
カメラ制御決定キー２０１は、カメラ１０３に対して、パラメータ設定キーにより設定されたカメラパラメータによるカメラ制御を要求するためのキーである。キャンセルキー２０２は、パラメータ設定の初期化や、カメラ制御要求の中止を行うためのキーである。カメラ・プリセット選択キー２０３は、パラメータ設定キーの１つで、カメラが複数台の場合に、いずれかのカメラを指定するためのキーである。また、予め各種カメラパラメータを定義したプリセットが登録されている場合は、このカメラ・プリセット選択キー２０３によりプリセットの選択も可能である。チルト制御キー２０４は、パラメータ設定キーの１つで、カメラパラメータのチルトを設定するためのキーである。ズーム制御キー２０５は、パラメータ設定キーの１つで、カメラパラメータのズームを設定するためのキーである。パン制御キー２０６は、パラメータ設定キーの１つで、カメラパラメータのパンを設定するためのキーである。ビューワ画面２０７は、遠隔地に設置されたカメラからの映像を閲覧すると共に、ユーザによるキー入力でカメラの制御を行うビューワアプリケーションの画面である。パラメータインジケータ２０８は、ビューワ側でパラメータ設定キーによって変更すべきパン・チルト・ズームを表すインジケータである。パラメータインジケータ２０９は、最後に要求したカメラ制御に成功した時点、または現在表示中の画像が撮影された時点での現在のカメラの撮影画角（パン・チルト・ズームのパラメータ設定値）を表すインジケータである。パラメータインジケータ２１０は、パン・チルト・ズームを制御させることによって撮影可能な視野範囲を表す枠であり、カメラによって撮影されたパノラマ合成画像が表示されている。
【００１８】
図３は、本実施の形態に係るカメラ制御装置が適用されるシステムの携帯機器端末１０１におけるパラメータ設定キーのプッシュ・リリースのみでパラメータインジケータの表示／非表示を切り替えるビューワ画面２０７の遷移を示す図である。なお、以下の処理はカメラ１０３からダウンロードされたプログラムによって実行される。
【００１９】
初期状態では、パラメータインジケータは非表示状態になっている（３０１）。パラメータ設定キーをプッシュすると、パラメータの設定が開始されると共に、パラメータインジケータの表示が開始される（３０２）。パラメータ設定キーのプッシュからリリース迄の時間に応じて制御量を調節できる場合、パラメータ設定キーをホールドしている間は、パラメータインジケータの表示は、その時点でのカメラパラメータの設定値に応じて変化する（３０３）。パラメータ設定キーをホールド中のパラメータ設定キーをリリースすると、パラメータの設定が確定し、終了すると共に、パラメータインジケータが再度非表示状態となる（３０１）。この操作によってカメラのプリセット位置等の設定が容易となる。
【００２０】
以上詳述したように、本実施の形態に係るカメラ制御装置によれば、基本的にカメラパラメータ設定キーの操作のみで画像上に重畳されるパラメータインジケータを必要なときだけ表示することが可能である。
【００２１】
また、カメラ制御決定キー２０１によるカメラ制御の要求や、キャンセルキー２０２によるカメラパラメータ設定の初期化の際にも、他のキーを操作することなく、必要のないパラメータインジケータの表示を回避することが可能である。
【００２２】
従って、ユーザは、本発明のカメラ制御装置を適用した遠隔カメラ制御用のビューワアプリケーションを使用することで、携帯電話端末のように画面が小さく、通信速度が遅く、入力部材が限られた機器において、最少のキー操作で所望のカメラ制御を確実に行うことができる。
【００２３】
（第２の実施の形態）
次に、本発明の第２の実施の形態を、図４に基づき説明する。
【００２４】
尚、本実施の形態に係るカメラ制御装置が適用されるシステムの構成は、上述した第１の実施の形態における図１及び図２と同一であるから、必要に応じてこれら両図を流用して説明する。
【００２５】
図４は、本実施の形態に係るカメラ制御装置が適用されるシステムの携帯機器端末１０１におけるパラメータ設定キーのプッシュ・リリースと、リリース後の経過時間によってパラメータインジケータの表示／非表示を切り替えるビューワ画面の遷移を示す図である。
【００２６】
初期状態ではパラメータインジケータは非表示状態になっている（４０１）。パラメータ設定キーをプッシュすると、パラメータの設定が開始されると共に、パラメータインジケータの表示が開始される（４０２）。パラメータ設定キーをリリースするとパラメータの設定が終了するが、パラメータ設定キーをリリース後、一定の時間が経過する迄は、パラメータインジケータは表示された状態が継続される（４０３）。パラメータ設定キーをリリース後、一定の時間経過すると、パラメータインジケータは、再度非表示状態となる（４０１）。この操作によってカメラのプリセット位置等の設定が容易となる。
【００２７】
パラメータ設定キーのリリース後、パラメータインジケータの表示中に最初に入力されたキー以外のキーを含むパラメータ設定キーがプッシュされた場合は、パラメータインジケータの表示状態が再び継続されるので、異なるパラメータ設定キーを連続して入力すれば、常に現在のカメラパラメータの設定値を確認しながら複数のカメラパラメータを一度に設定することができる。
【００２８】
（第３の実施の形態）
次に、本発明の第３の実施の形態を、図５に基づき説明する。
【００２９】
尚、本実施の形態に係るカメラ制御装置が適用されるシステムの構成は、上述した第１の実施の形態における図１及び図２と同一であるから、必要に応じてこれら両図を流用して説明する。
【００３０】
図５は、本実施の形態に係るカメラ制御装置が適用されるシステムの携帯機器端末１０１におけるパラメータ設定キーのプッシュ・リリースのみで、パラメータインジケータの表示／非表示の切り替えとカメラ制御要求の送信を行うビューワ画面の遷移を示す図である。
【００３１】
初期状態では、パラメータインジケータは非表示状態になっている（５０１）。パラメータ設定キーをプッシュすると、パラメータの設定が開始されると共に、パラメータインジケータの表示が開始される（５０２）。パラメータ設定キーのプッシュからリリース迄の時間を調節できる場合、パラメータ設定キーをホールドしている間は、パラメータインジケータの表示は、その時点でのカメラパラメータの設定値に応じて変化する（５０３）。ホールド中のパラメータ設定キーをリリースすると、パラメータの設定が終了する。パラメータ設定キーのリリース後、一定の時間が経過すると、カメラ１０３に対して自動的にカメラ制御要求信号の送信が実行されるか、送信待ちの状態になる（５０４）。カメラ制御要求信号の送信待ち状態では、次にカメラ制御要求信号が送信できる状態になる迄待って、カメラ制御要求信号の送信が実行される（５０５）。そして、インジケータ内の撮影画角に制御されたカメラからの撮影画像を表示する（不図示）。
【００３２】
従って、パラメータ設定キーの入力のみで、カメラパラメータの設定と、設定されたカメラパラメータによるカメラ制御の実行が可能になる。
【００３３】
（第４の実施の形態）
次に、本発明の第４の実施の形態を、図６に基づき説明する。
【００３４】
尚、本実施の形態に係るカメラ制御装置が適用されるシステムの構成は、上述した第１の実施の形態における図１及び図２と同一であるから、必要に応じてこれら両図を流用して説明する。
【００３５】
図６は、本実施の形態に係るカメラ制御装置が適用されるシステムの携帯機器端末１０１におけるパラメータ設定キーのプッシュによって表示状態になったパラメータインジケータを、カメラ制御要求信号の送信によって非表示にするビューワ画面の遷移を示す図である。
【００３６】
初期状態では、パラメータインジケータは非表示状態になっている（６０１）。パラメータ設定キーをプッシュすると、カメラパラメータの設定が開始されると共に、パラメータインジケータが表示される（６０２，６０３）。カメラ制御決定キー２０１の入力やビューワによるカメラ制御の自動実行によってカメラ制御要求信号が送信されると、パラメータインジケータは再度非表示状態となる（６０１）。そして、インジケータ内の撮影画角に制御されたカメラからの撮影画像を表示する（不図示）。
【００３７】
従って、カメラパラメータの設定を変更しない限りパラメータインジケータの表示は行われず、必要のない画像への重畳表示を避けることができる。
【００３８】
（第５の実施の形態）
次に、本発明の第５の実施の形態を、図７に基づき説明する。
【００３９】
尚、本実施の形態に係るカメラ制御装置が適用されるシステムの構成は、上述した第１の実施の形態における図１及び図２と同一であるから、必要に応じてこれら両図を流用して説明する。
【００４０】
図７は、本実施の形態に係るカメラ制御装置が適用されるシステムの携帯機器端末１０１におけるパラメータ設定キーのプッシュによって表示状態になったパラメータインジケータを、カメラ制御要求の結果に応じて表示状態を継続または非表示にするビューワ画面の遷移を示す図である。
【００４１】
初期状態では、パラメータインジケータは非表示状態になっている。パラメータ設定キーをプッシュ・リリースすると、カメラパラメータの設定が開始されると共に、パラメータインジケータが表示される（７０１）。カメラ制御決定キー２０１の入力やビューワによるカメラ制御の自動実行によってカメラ制御要求信号が送信されると、カメラ制御要求信号の送信中はパラメータインジケータの表示状態が継続される（７０２）。カメラ制御要求に対するリプライを受け取ると、カメラ制御に成功した場合は、パラメータインジケータが非表示状態となり（７０３）のちにインジケータが示す画角の画像が表示され、カメラ制御に失敗した場合は、パラメータインジケータの表示状態が継続される（７０４）。
【００４２】
（第６の実施の形態）
次に、本発明の第６の実施の形態を、図８に基づき説明する。
【００４３】
尚、本実施の形態に係るカメラ制御装置が適用されるシステムの構成は、上述した第１の実施の形態における図１及び図２と同一であるから、必要に応じてこれら両図を流用して説明する。
【００４４】
図８は、本実施の形態に係るカメラ制御装置が適用されるシステムの携帯機器端末１０１におけるキャンセルキー２０２の一回のプッシュによってカメラパラメータ設定を初期化するビューワ画面の遷移を示す図である。
【００４５】
初期状態では、パラメータインジケータは非表示状態になっている（８０１）。パラメータ設定キーのプッシュ・ホールドによってカメラパラメータの設定とパラメータインジケータの表示が行われ（８０２）、パラメータ設定キーのリリースによって、カメラパラメータの設定が終了する（８０３）。カメラパラメータの設定後、キャンセルキー２０２をプッシュすると、カメラパラメータが設定前の状態に初期化されると共に、パラメータインジケータも初期化されたカメラパラメータを表す表示状態に変化する（８０４）。キャンセルキー２０２をリリースすると、パラメータインジケータは再度非表示状態となる（８０１）。
【００４６】
これによって、パラメータ設定をパラメータインジケータで確認しながら初期化できると共に、必要なときだけパラメータインジケータを表示することができる。
【００４７】
（第７の実施の形態）
次に、本発明の第７の実施の形態を、図９に基づき説明する。
【００４８】
尚、本実施の形態に係るカメラ制御装置が適用されるシステムの構成は、上述した第１の実施の形態における図１及び図２と同一であるから、必要に応じてこれら両図を流用して説明する。
【００４９】
図９は、本実施の形態に係るカメラ制御装置が適用されるシステムの携帯機器端末１０１におけるキャンセルキー２０２のプッシュによってカメラパラメータ設定を段階的に初期化するビューワ画面の遷移を示す図である。
【００５０】
初期状態では、パラメータインジケータは非表示状態になっている（９０１）。パラメータ設定キーのプッシュ・ホールドによって、カメラパラメータの設定とパラメータインジケータの表示が行われ（９０２）、パラメータ設定キーのリリースによって、カメラパラメータの設定が終了される（９０３）。このとき、パラメータ設定キーがプッシュされてからリリースされる迄のパラメータ設定の変化は、パラメータ設定保持バッファ等の記憶手段に一時的に蓄積される。
【００５１】
カメラパラメータの設定後、キャンセルキー２０２をプッシュすると、パラメータ設定保持バッファに蓄積された直前のカメラパラメータの設定値が読み出され、カメラパラメータが直前の設定値に戻り、パラメータインジケータも直前の状態に戻る（９０４）。キャンセルキー２０２を更にプッシュ、またはホールドすると、パラメータ設定保持バッファに蓄積された設定値が時間を遡って読み出され、カメラパラメータとして設定されると共に、パラメータインジケータの表示状態が変化する（９０５）。カメラパラメータが最初に蓄積された設定値、またはパラメータ設定前の初期値に達すると、カメラパラメータの初期化が終了する（９０６）。
【００５２】
キャンセルキー２０２をリリースすると、カメラパラメータの初期化が終了しているか否かに拘らず、カメラパラメータの初期化は中断され、パラメータインジケータは非表示状態になる。再度キャンセルキー２０２をプッシュすると、カメラパラメータの初期化が終了していない場合は、カメラパラメータの初期化が再開される。
【００５３】
これによって、パラメータ設定キーの入力ミスでカメラパラメータが所望の値を超えて設定されてしまった場合に、パラメータインジケータで確認しながら、少しずつカメラパラメータの設定値を戻すことができる。
【００５４】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００５５】
本発明の実施態様の例を以下に列挙する。
【００５６】
［実施態様１］  各キーの操作により入力が可能なカメラ制御装置であって、カメラのパラメータ設定用キーによる入力操作に応じて、現在のカメラの撮影画角を示す第１のインジケータと変更される撮影画角を示す第２のインジケータとの表示を行い、前記キーの操作解除に応じてカメラパラメータを設定すると共に、前記第１、第２のインジケータを非表示にする制御手段を有することを特徴とするカメラ制御装置。
【００５７】
［実施態様２］  前記制御手段は、前記キーの操作解除から一定時間経過した時点で前記第１、第２のインジケータを非表示にするように制御することを特徴とする実施態様１に記載のカメラ制御装置。
【００５８】
［実施態様３］  前記制御手段は、前記キーの操作解除から一定時間経過した時点でカメラ制御要求信号をカメラに送信するか、または、送信待ち状態にするように制御することを特徴とする実施態様１に記載のカメラ制御装置。
【００５９】
［実施態様４］  前記制御手段は、カメラ制御要求信号を送信する際に前記インジケータを非表示にするように制御することを特徴とする実施態様１に記載のカメラ制御装置。
【００６０】
［実施態様５］  前記制御手段は、前記制御手段は、前記カメラの制御が成功した場合には前記インジケータを非表示にし、前記カメラの制御に失敗した場合は前記インジケータの表示状態を継続するように制御することを特徴とする実施態様１に記載のカメラ制御装置。
【００６１】
［実施態様６］  前記制御手段は、カメラ制御パラメータ設定用キーの操作解除によりカメラパラメータの設定が終了した後、キャンセルキーを操作すると、カメラパラメータが設定前の状態に初期化されると共に、初期化されたカメラパラメータの設定値を表すインジケータが表示され、キャンセルキーを操作解除すると、前記インジケータが非表示になるように制御する制御手段を有することを特徴とする実施態様１に記載のカメラ制御装置。
［実施態様７］  前記制御手段は、カメラ制御パラメータ設定用キーの操作解除によりカメラパラメータの設定が終了した後、キャンセルキーを操作すると、段階的なカメラパラメータの初期化が開始されると共に、初期化中のカメラパラメータの設定値を表すインジケータが表示され、キャンセルキーを操作解除すると、前記インジケータが非表示になるように制御することを特徴とするカメラ制御装置。
［実施態様８］  最後に要求したカメラ制御に成功した時点、または現在表示中の画像が撮影された時点でのカメラパラメータの値を表すインジケータと、次回のカメラ制御要求時に送信するカメラパラメータの設定値を表すインジケータとを画面上に同時に表示するように制御する制御手段を有することを特徴とするカメラ制御装置。
【００６２】
［実施態様９］    実施態様１乃至８のいずれか１つに記載のカメラ制御装置の動作処理方法。
【００６３】
［実施態様１０］    実施態様９に記載の動作処理方法を実行するためのプログラム。
【００６４】
【発明の効果】
以上詳述したように、本発明のカメラ制御装置によれば、遠隔カメラ制御用のビューワアプリケーションを使用することで、携帯電話等の形態機器端末のように、画面が小さく、通信速度が遅く、入力手段が限られた機器端末において、最少のキー操作で所望のカメラ制御を確実に行うことができる。
【図面の簡単な説明】
【図１】本発明の第１の実施の形態に係るカメラ制御装置が適用されるシステムの基本構成を示す図である。
【図２】本発明の第１の実施の形態に係るカメラ制御装置が適用されるシステムにおける携帯機器端末に適用した場合のキー割り当ての一例を示す図である。
【図３】本発明の第１の実施の形態に係るカメラ制御装置が適用されるシステムの携帯機器端末におけるパラメータ設定キーのプッシュ・リリースのみでパラメータインジケータの表示／非表示を切り替えるビューワ画面の遷移を示す図である。
【図４】本発明の第２の実施の形態に係るカメラ制御装置が適用されるシステムの携帯機器端末におけるパラメータ設定キーのプッシュ・リリースと、リリース後の経過時間によってパラメータインジケータの表示／非表示を切り替えるビューワ画面の遷移を示す図である。
【図５】本発明の第３の実施の形態に係るカメラ制御装置が適用されるシステムの携帯機器端末におけるパラメータ設定キーのプッシュ・リリースのみで、パラメータインジケータの表示／非表示の切り替えとカメラ制御要求信号の送信を行うビューワ画面の遷移を示す図である。
【図６】本発明の第４の実施の形態に係るカメラ制御装置が適用されるシステムの携帯機器端末におけるパラメータ設定キーのプッシュによって表示状態になったパラメータインジケータを、カメラ制御要求信号の送信によって非表示状態にするビューワ画面の遷移を示す図である。
【図７】本発明の第５の実施の形態に係るカメラ制御装置が適用されるシステムの携帯機器端末におけるパラメータ設定キーのプッシュによって表示状態になったパラメータインジケータを、カメラ制御要求の結果に応じて表示状態を継続または非表示状態にするビューワ画面の遷移を示す図である。
【図８】本発明の第６の実施の形態に係るカメラ制御装置が適用されるシステムの携帯機器端末におけるキャンセルキーの１回のプッシュでカメラパラメータ設定を初期化するビューワ画面の遷移を示す図である。
【図９】本発明の第７の実施の形態に係るカメラ制御装置が適用されるシステムの携帯機器端末におけるキャンセルキーのプッシュによってカメラパラメータ設定を段階的に初期化するビューワ画面の遷移を示す図である。
【符号の説明】
１０１    携帯電話等の携帯機器端末
１０２    インターネット等のネットワーク
１０３    カメラ（ネットワークカメラ）
１０４    ビューワアプリケーション
１０５    リクエスト信号
１０６    リプライ信号
２０１    カメラ制御決定キー
２０２    キャンセルキー
２０３    カメラ・プリセット選択キー
２０４    チルト制御キー
２０５    ズーム制御キー
２０６    パン制御キー
２０７    ビューワ画面
２０８    パラメータインジケータ（設定されたカメラパラメータ）
２０９    パラメータインジケータ（現在のカメラパラメータ）
２１０    パラメータインジケータ（パン・チルト・ズームの限界）
【図１】
2004248230.tif 000003
【図２】
2004248230.tif 000004
【図３】
2004248230.tif 000005
【図４】
2004248230.tif 000006
【図５】
2004248230.tif 000007
【図６】
2004248230.tif 000008
【図７】
2004248230.tif 000009
【図８】
2004248230.tif 000010
【図９】
2004248230.tif 000011